(57)【要約】【課題】    使用しないときは本棚などの空きスペースに収納可能な薄型で、使用するときはペンの出し入れによって倒れにくい安定感が求められる。しかし、接地部が分厚ければ収納性が悪くなる。また、折畳式にした際に折り畳み動作で筆記具挿入口が動き過ぎれば筆記具が不意に飛び出し易くなり、筆記具が飛び出さないようゆっくり揺動させたり、筆記具と挿入口の間に摩擦力を有する構造とするような配慮が必要になり、気軽に筆記具の出し入れが出来なくなる。【解決手段】  複数の筒状体（７）（８）（９）の挿入口（４）（５）（６）や揺動の支持部（１４）や連結部（１０）などを最適な位置関係で配置する。【選択図】              図１
2017087608.tif 000002
【特許請求の範囲】
【請求項１】
一端部に内部への挿入口をそれぞれ備える第１、第２及び第３筒状体と、
前記第２及び前記第３筒状体を連動させる連結部と、
前記第１筒状体の一端部から中間部のいずれかにおいて前記第２筒状体の一端部から中間部のいずれかを揺動自在に支持する支持部と、
を具備し、
前記第１筒状体の両隣に沿うようにそれぞれ前記第２及び前記第３筒状体が配置された折畳状態と、
前記折畳状態から前記支持部中心に前記第１筒状体の他端部に対して前記第２及び前記第３筒状体の他端部が離れる方向に揺動させた脚広げ状態と、
を有し、
前記脚広げ状態で前記第１、前記第２及び前記第３筒状体を水平面に立てた状態でそれぞれの挿入口から筆記具の一部又は全部を収納可能である、ペン立て。
【請求項２】
前記連結部は前記支持部から離れた位置に配置される、
請求項１に記載のペン立て。
【発明の詳細な説明】
【技術分野】
【０００１】
本発明は、ペン立てに関する。
【背景技術】
【０００２】
ペン立てにおいては、特許文献１の実施例のように、水平面に立てたペン立てのペン挿入口から水平面接地部に向けて広がるテーパー形状でペン立ての安定性を高めるアイデアが知られている。
【０００３】
また、ペン立てにおいては、特許文献２の実施例のように、一端部にペン挿入口、他端部に回転支持部を備える２本の筒状体が回転支持部中心に互いに回転自在であるアイデアが知られている。
【０００４】
また、ペン立てにおいては、特許文献３の実施例のように、一端部にペンや小物を入れる引き出しの挿入口、他端部に回転支持部を備える複数の筒状体が回転支持部中心に互いに回転自在であり、複数の筒状体を揺動させてペン立て全体として回転中心軸方向に見てＬ字状にすることでペンを水平面に立てるアイデアが知られている。
【先行技術文献】
【特許文献】
【０００５】
【特許文献１】特開２００６−００１０６２号公報
【特許文献２】実開昭６３−０３０１８７号公報
【特許文献３】実開昭６２−１１４７８９号公報
【発明の概要】
【発明が解決しようとする課題】
【０００６】
ペン立てにおいては、使用しないときは本棚などの空きスペースに収納可能な薄型で、使用するときはペンの出し入れによって倒れにくい安定感が求められる。しかし、特許文献１のような実施例では接地部が分厚くなり収納性が悪くなる。また、特許文献２及び３の実施例では複数の筒状体を互いに揺動させる際に揺動の最外周にある挿入口が最大距離移動することとなり、ペンや引き出しが飛び出さないようゆっくり揺動させたり、ペンや引き出しと挿入口の間に摩擦力を有する構造とするような配慮が必要になり、気軽にペンの出し入れが出来なくなる。
【課題を解決するための手段】
【０００７】
本発明の実施形態図等を用いて以下に説明するが、これは本発明の内容をより把握しやすいようにする為で、添付の特許請求の範囲を縮小するものではない。
【０００８】
発明１に係るペン立ては、例えば図１及び２の組み、図３から５の組み、図６、図７から９の組み、のいずれかのように、
一端部１から３に内部への挿入口４から６をそれぞれ備える筒状体７から９と、
筒状体８及び９を連動させる連結部１０と、
筒状体７の一端部１から中間部１１のいずれかにおいて筒状体８の一端部２から中間部１２のいずれかを揺動自在に支持する支持部１４と、
を具備し、
筒状体７の両隣に沿うようにそれぞれ筒状体８及び９が配置された例えば図１、３又は７のような折畳状態と、
折畳状態から支持部１４中心に筒状体７の他端部１６に対して筒状体８及び９の他端部１７及び１８が離れる方向に揺動させた例えば図２、４、５、６、８又は９のような脚広げ状態と、
を有し、
脚広げ状態で筒状体７から９を水平面１９に立てた状態でそれぞれの挿入口４から６から筆記具２３の一部又は全部を収納可能である、ペン立てである。
【０００９】
発明２に係るペン立ては、発明１のペン立てにおいて、
連結部１０は支持部１４から離れた位置に配置される、
ペン立てである。
【発明の効果】
【００１０】
以上のように本発明では、折畳状態では筒状体７から９が整列することで本棚などの空きスペースに収納可能な薄型となり、使用するときは適度な揺動角度による脚広げ状態で水平面１９に対して広い接地部が得られ、折畳状態から脚広げ状態に移る際に支持部１４が挿入口４及び５に比較的近いことから挿入口４及び５の移動距離が抑えられ、脚広げ状態では複数の筆記具２３の後端部２７が適度に離れることから指先で摘み易くなる、というような設計が容易となる。すなわち筆記具２３の出し入れの際に安定感があり気軽に筆記具２３の出し入れが可能で、且つペン立ての状態移行を簡便に素早く行うことが出来る、というようなペン立ての設計が容易となる。
【００１１】
また発明２では、本発明の効果に加えて、連結部１０による筒状体７への干渉が比較的少なく、筆記具２３を収納する筒状体７内部が広くスムーズで金型による成形性も高いような設計が容易となる。
【図面の簡単な説明】
【００１２】
【図１】第１実施形態の折畳状態を第三角法で表した図
【図２】第１実施形態の脚広げ状態を第三角法で表した図
【図３】第２実施形態の折畳状態を第三角法で表した図
【図４】第２実施形態の脚広げ状態を第三角法で表した図
【図５】第２実施形態の脚広げ状態に筆記具２３を挿入した斜視図
【図６】第３実施形態の脚広げ状態に筆記具２３を挿入した斜視図
【図７】第４実施形態の折畳状態を第三角法で表した図
【図８】第４実施形態の脚広げ状態を第三角法で表した図
【図９】第４実施形態の脚広げ状態に筆記具２３を挿入した斜視図
【発明を実施するための形態】
【００１３】
本発明の第１実施形態を図１及び２に基づいて説明する。
【００１４】
図１の折畳状態では筒状体７の両隣に筒状体８及び９が沿うように並んでおり、一端部１から３が開口端の挿入口４から６で、他端部１６から１８が閉口端で他端部１７及び１８の間に連結部１０が架設されるように一体成形されている。また水平面１９に対する接地部は他端部１７、１８及び連結部１０が構成しており、他端部１６は水平面から浮いた状態であり、折畳状態でペン立てとして水平面１９に自立している。
折畳状態から図２の脚広げ状態に移る際は、図２右図のように筒状体７に対して筒状体８及び９を４０度程中心線２０中心に揺動させる。また中心線２０を中心とする支持部１４及び１５はそれぞれ筒状体７及び８の間及び筒状体７及び９の間にあり回転軸機構を備えており、筒状体７は筒状体８及び９に挟まれるようにして中心線２０軸方向に移動が規制されるスナップフィット構造となっている。また４０度程で揺動を規制する為に筒状体７及び８の間及び筒状体７及び９の間にはそれぞれピンと案内溝による揺動規制機構２１及び２２が設けられているが、例えば９０度程の範囲で揺動を規制して１０度毎にクリック感を与えて任意の角度で静止できるような機構でもよいだろう。また支持部１５及び揺動規制機構２２が無くてもペン立ての揺動構造は完成するし、より揺動の安定感を求めたい場合は支持部１４の軸ピンの先端を潰して中心線２０軸方向への規制を支持部１４で完結させればよいだろう。
また支持部１４及び１５はいずれも一端部１及び２の間及び一端部１及び３の間に配置されており、程度な揺動角度で水平面１９に対して広い接地部を確保でき、且つ挿入口４、５及び６の揺動時の移動距離が少なく、脚広げ状態でそれぞれがあまり離れないという理想的な折畳式ペン立てとなるが、例えば中間部１１及び１２の間及び中間部１１及び１３の間に配置しても一定の効果は得られるだろう。
また連結部１０は支持部１４及び１５から最大限離れた位置に配置されているので、筒状体７は略寸胴であり内部は広くスムーズである。
また使い方の例としては、脚広げ状態のペン立てを図２のように筒状体７から９が水平面１９に立った状態で設置し、字を書く為のペンや顔に化粧する為のペン等の筆記具２３をペン立ての挿入口４、５及び６から出し入れし、使い終わったら筆記具２３を入れたまま他端部１６の逃げ形状２４が連結部１０に当たるまで折り畳んでペン立てを平板状にし、本棚の本と一緒に並べて保管、というのが考えられる。
【００１５】
本発明の第２実施形態は第１実施形態と共通する部分が多いので、主に違いについて図３から５に基づいて説明する。
【００１６】
図３の折畳状態では水平面１９に対する接地部は他端部１６から１８及び連結部１０が構成しており、他端部１６は水平面から浮いていない状態である。
折畳状態から図４及び５の脚広げ状態に移る際は、図４右図のように筒状体７に対して筒状体８及び９を４０度程中心線２０中心に揺動させてやると、予め先端が斜めに成形された他端部１６から１８及び連結部１０が水平面１９にピタリと合い、第１実施形態よりも広い接地部を得ている。
また連結部１０は支持部１４及び１５から離れた位置に配置されており、他端部１６には連結部１０を避けるように大きめの逃げ形状２４が設けられているが筒状体７の閉口端側なので内部は比較的広くスムーズで抜き勾配を考慮すると金型による成形性は良好である。
【００１７】
本発明の第３実施形態は第２実施形態と共通する部分が多いので、主に違いについて図６に基づいて説明する。
【００１８】
第２実施形態の挿入口４の長方形の縁の長辺の一方から広がるように一体成形の板状部２５が設けられており、また挿入口５及び６それぞれの長方形の縁の長辺の一方及び短辺の一方の半分から広がり架設されるように板状部２６が設けられており、図６の脚広げ状態では挿入口４から６に筆記具２３を出し入れ可能だが、折畳状態にすると板状部２５及び２６は二枚貝が閉じるように合わさるので本と本の間にペン立てを挿入する際の筆記具２３による悪影響を排除でき、ペン立ての持ち運び時に筆記具２３が不意に出てしまうことを防止できる。
【００１９】
本発明の第４実施形態は第２実施形態と共通する部分が多いので、主に違いについて図７から９に基づいて説明する。
【００２０】
第２実施形態の筒状体７を取り去って、図７のように筒状体８、９及び連結部１０から成る部材と同一形状の筒状体３５、７及び連結部３６から成る部材を、順に筒状体８、７、９、３５となるように一列に並べ、各筒状体の間隔を詰め、逃げ形状２４及び３８を設け、支持部１５の代わりに支持部３０を筒状体９及び３５の間に設けたものである。
同一形状の２個の部品でペン立てを構成可能であり、製造コスト削減に有利である。
また水平面１９への接地部は筒状体３５の他端部３４及び連結部３６も追加されるので、より安定感のあるペン立てとなるだろう。
【００２１】
本発明の第１から第４実施形態において、連結部１０や３６が水平面１９に接触しない構造であっても、ペン立ての安定性に悪影響は無いだろう。
【００２２】
本発明の第１から第４実施形態において、筒状体７、８、９及び３５の内部に仕切り板を設けてもよいだろう。
【符号の説明】
【００２３】
１,２,３,３２.                   一端部
４,５,６,３７.                   挿入口
７,８,９,３５.                   筒状体
１０,３６.                         連結部
１１,１２,１３,３３.       中間部
１４,１５,３０.                支持部
１６,１７,１８,３４.       他端部
１９.                                  水平面
２０.                                  中心線
２１,２２,３１.                揺動規制機構
２３.                                  筆記具
２４,３８.                         逃げ形状
２５,２６.                         板状部
２７.                                  後端部
【図１】
2017087608.tif 000003
【図２】
2017087608.tif 000004
【図３】
2017087608.tif 000005
【図４】
2017087608.tif 000006
【図５】
2017087608.tif 000007
【図６】
2017087608.tif 000008
【図７】
2017087608.tif 000009
【図８】
2017087608.tif 000010
【図９】
2017087608.tif 000011